(57)【特許請求の範囲】
【請求項１】
第１，第２流路を有し、浴槽壁の取付孔に貫通状態に取り付けられる取付部材と、
吸込口および吐出口を有し、前記第１，第２流路のうち一方の流路を介して槽外から供給される水を、前記吐出口から槽内に吐出させるとともに、槽内の水を前記吸込口から吸い込んで、残り一方の流路を介して槽外に流出させる流路形成ユニットとを備え、
前記流路形成ユニットは、槽内側を前方側として前記取付部材に前面側から取り付けられ、かつ前記第１，第２流路にそれぞれ連通する第１，第２開口が設けられたベース部材と、前記ベース部材の前面側に着脱自在に組み付けられ、かつ前面に前記吸込口、外周側面に前記吐出口が設けられる極性切換部材とを備え、
前記極性切換部材は、前記ベース部材に対して、前記吐出口が前記第１開口に連通し、かつ前記吸込口が前記第２開口に連通する第１組付状態と、前記吐出口が前記第２開口に連通し、かつ前記吸込口が前記第１開口に連通する第２組付状態とのいずれの組付状態にも組み付けられるよう構成され、
前記第１開口は、前記第１流路にそれぞれ連通する吐出側第１開口および吸込側第１開口によって構成され、
前記第２開口は、前記第２流路にそれぞれ連通する吐出側第２開口および吸込側第２開口によって構成され、
前記第１組付状態では、前記吐出口が前記吐出側第１開口に連通し、かつ前記吸込口が前記吸込側第２開口に連通して、前記吐出側第２開口および前記吸込側第１開口が前記極性切換部材によって閉塞されるとともに、
前記第２組付状態では、前記吐出口が前記吐出側第２開口に連通し、かつ前記吸込口が前記吸込側第１開口に連通して、前記吐出側第１開口および前記吸込側第２開口が前記極性切換部材によって閉塞されるようになっていることを特徴とする浴槽用給湯口アダプタ。
【請求項２】
前記第１組付状態に対し前記第２組付状態では、前記極性切換部材が前記ベース部材に対して相対的に異なる回転位置に配置される請求項１に記載の浴槽用給湯口アダプタ。
【請求項３】
内部に水の流動を制御する流動制御弁が設けられない請求項１または２に記載の浴槽用給湯口アダプタ。
【請求項４】
前記流路形成ユニットは、前記取付部材に対し複数の異なる回転位置で着脱自在に取り付けられるよう構成される請求項１〜３のいずれか１項に記載の浴槽用給湯口アダプタ。
【請求項５】
前記吐出口から吐出される水の吐出方向が一方向に設定される請求項４に記載の浴槽用給湯口アダプタ。
【請求項６】
前記極性切換部材は、円板部と、円板部外周縁部に設けられ、かつ前記吐出口が形成された外周壁部と、前記円板部の前面側に、内周部から前記吐出口にかけて設けられる吐出流路とを備え、
前記第１開口または前記第２開口から前記吐出流路に供給された水が、その吐出流路を通って前記吐出口から吐出されるよう構成される請求項１〜５のいずれか１項に記載の浴槽用給湯口アダプタ。
【発明の詳細な説明】
【技術分野】
【０００１】
この発明は、お湯の供給用として浴槽壁に取り付けられる浴槽用給湯口アダプタに関する。
【背景技術】
【０００２】
従来、浴槽と給湯機とが配管接続されて、追い焚き時には、槽内のお湯が、外部の給湯機に送り込まれて、そこで再加熱された後、槽内に戻されるようにした浴槽用給湯システムが周知である。
【０００３】
このような浴槽用給湯システムに用いられる給湯口アダプタとしては、例えば下記特許文献１に示すものが周知である。この給湯口アダプタは、このアダプタが備える第１，第２外管接続部に対して、給湯機につながる往き管および戻り管のどちらを接続しても使用可能な、いわゆる無極性タイプのものである。この給湯口アダプタは、浴槽内に突出状に配置される円盤状の槽内突出部における外周側面に第１，第２開口が設けられる一方、内部には、第１，第２開口および上記第１，第２外管接続部間をそれぞれ連通する第１，第２流路が設けられている。そして、給湯機からお湯が供給される往き管が、第１外管接続部に接続され、浴槽側からお湯を吸い込む戻り管が、第２外管接続部に接続された場合には、往き管が、第１外管接続部および第１流路を介して第１開口に連通されて、その第１開口が吐出口として機能するとともに、戻り管が、第２外管接続部および第２流路を介して第２開口に連通されて、その第２開口が吸込口として機能する。また逆に第１外管接続部に給湯機の戻り管が接続され、第２外管接続部に往き管が接続された場合には、戻り管が、第１外管接続部および第１流路を介して第１開口に連通されて、その第１開口が吸込口として機能するとともに、往き管が、第２外管接続部および第２流路介して第２開口に連通されて、その第２開口が吐出口として機能する。
【特許文献１】特開２００２−３４０４１５号
【発明の開示】
【発明が解決しようとする課題】
【０００４】
ところで、給湯口アダプタにおいては、追い焚き時に、お湯をアダプタ側面から槽内に吐出させるとともに、アダプタ前面から槽内のお湯を吸い込む、という前面吸込／側面吐出方式を採用することにより、浴槽内にお湯をスムーズに循環させることができて、優れた給湯性能を得ることができる。
【０００５】
しかしながら、上記従来の給湯口アダプタにおいては、吸込口および吐出口が共に、アダプタ外周側面に設けられるため、上記の前面吸込／側面吐出方式を採用することができなかった。
【０００６】
一方、上記ように内部の第１，第２流路と、吸込口および吐出口等の第１，第２開口とが一対一に対応する給湯口アダプタにおいて仮に、第１開口をアダプタ前面に形成するとともに、第２開口をアダプタ側面に形成した場合、現場施工時に、第１外管接続部に給湯機の戻り管を接続し、第２外管接続部に往き管を接続すれば、槽内突出部の前面の第１開口を吸込口として構成でき、側面の第２開口を吐出口として構成でき、所望の前面吸込／側面吐出方式を採用することができる。
【０００７】
しかしながら、現場施工時に、第１外管接続部に給湯機の往き管を接続し、第２外管接続部に戻り管を接続してしまうと、槽内突出部前面の第１開口が吐出口となり、側面の第２開口が吸込口となり、前面吸込／側面吐出方式とは異なってしまう。つまり、第１，第２流路と第１，第２開口とが一対一で対応する弁無しタイプ等の給湯口アダプタにおいて、前面吸込／側面吐出方式を採用とすると、第１，第２外管接続部に対し、往き管および戻り管の接続位置が特定されてしまい、いわゆる無極性タイプとして構成することができなかった。このため上記したように往き管および戻り管を逆に接続してしまった場合、往き管や戻り管等の外管を付け替えて、流路（極性）を切り換える必要があるが、この外管付け替え作業は、大がかりで面倒な作業となり、流路の切換作業が非常に困難であるという問題を抱えている。
【０００８】
この発明は、上記の課題に鑑みてなされたものであり、極性を簡単に切り換えることができて、前面吸込／側面吐出方式を確実に採用することができる浴槽用給湯口アダプタを提供することを目的とする。
【課題を解決するための手段】
【０００９】
上記目的を達成するため、本発明は、以下の構成を要旨としている。
【００１０】
［１］  第１，第２流路を有し、浴槽壁の取付孔に貫通状態に取り付けられる取付部材と、
吸込口および吐出口を有し、前記第１，第２流路のうち一方の流路を介して槽外から供給される水を、前記吐出口から槽内に吐出させるとともに、槽内の水を前記吸込口から吸い込んで、残り一方の流路を介して槽外に流出させる流路形成ユニットとを備え、
前記流路形成ユニットは、槽内側を前方側として前記取付部材に前面側から取り付けられ、かつ前記第１，第２流路にそれぞれ連通する第１，第２開口が設けられたベース部材と、前記ベース部材の前面側に着脱自在に組み付けられ、かつ前面に前記吸込口、外周側面に前記吐出口が設けられる極性切換部材とを備え、
前記極性切換部材は、前記ベース部材に対して、前記吐出口が前記第１開口に連通し、かつ前記吸込口が前記第２開口に連通する第１組付状態と、前記吐出口が前記第２開口に連通し、かつ前記吸込口が前記第１開口に連通する第２組付状態とのいずれの状態にも組み付けられるよう構成されたことを特徴とする浴槽用給湯口アダプタ。
【００１１】
［２］  前記第１組付状態に対し前記第２組付状態では、前記極性切換部材が前記ベース部材に対し相対的に異なる回転位置に配置される前項１に記載の浴槽用給湯口アダプタ。
【００１２】
［３］  内部に水の流動を制御する流動制御弁が設けられない前項１または２に記載の浴槽用給湯口アダプタ。
【００１３】
［４］  前記第１開口は、前記第１流路にそれぞれ連通する吐出側第１開口および吸込側第１開口によって構成され、
前記第２開口は、前記第２流路にそれぞれ連通する吐出側第２開口および吸込側第２開口によって構成され、
前記第１組付状態では、前記吐出口が前記吐出側第１開口に連通し、かつ前記吸込口が前記吸込側第２開口に連通して、前記吐出側第２開口および前記吸込側第１開口が前記極性切換部材によって閉塞され、
前記第２組付状態では、前記吐出口が前記吐出側２開口に連通し、かつ前記吸込口が前記吸込側第１開口に連通して、前記吐出側第１開口および前記吸込側第２開口が前記極性切換部材によって閉塞される前項１〜３のいずれか１項に記載の浴槽用給湯口アダプタ。
【００１４】
［５］  前記流路形成ユニットは、前記取付部材に対し複数の異なる回転位置で着脱自在に取り付けられるよう構成される前項１〜４のいずれか１項に記載の浴槽用給湯口アダプタ。
【００１５】
［６］  前記吐出口から吐出される水の吐出方向が一方向に設定される前項５に記載の浴槽用給湯口アダプタ。
【００１６】
［７］  前記極性切換部材は、円板部と、円板部外周縁部に設けられ、かつ前記吐出口が形成された外周壁部と、前記円板部の前面側に、内周部から前記吐出口にかけて設けられる吐出流路とを備え、
前記第１開口または前記第２開口から前記吐出流路に供給された水が、その吐出流路を通って前記吐出口から吐出されるよう構成される前項１〜６のいずれか１項に記載の浴槽用給湯口アダプタ。
【００１７】
［８］  第１，第２流路を有し、浴槽壁の取付孔に貫通状態に取り付けられる取付部材と、
槽内側を前方側として前記取付部材に前面側から取り付けられ、かつ槽内側に突出する槽内突出部を有する流路形成部材と、
前記槽内突出部の前面に吸込口が設けられるとともに、外周側面に吐出口が設けられて、前記第１，第２流路のうち一方の流路を介して槽外から供給される水が、前記吐出口から槽内に吐出されるとともに、槽内の水が前記吸込口から吸い込まれて、残り一方の流路を介して槽外に流出されるよう構成され、
前記流路形成部材は、前記吐出口が前記第１流路に連通し、かつ前記吸込口が前記第２流路に連通する第１流路状態と、前記吐出口が前記第２流路に連通し、かつ前記吸込口が前記第１流路に連通する第２流路状態と間で手動操作により切換可能に構成されたことを特徴とする浴槽用給湯口アダプタ。
【００１８】
なお言うまでもなく本発明において、「水」と言う場合、常温水（低温水）のみならず、お湯や温水等のように加熱された水も含まれる。
【発明の効果】
【００１９】
発明［１］にかかる浴槽用給湯口アダプタによれば、極性を簡単に切り換えることができて、前面吸込／側面吐出方式を確実に採用することができる。
【００２０】
発明［２］にかかる浴槽用給湯口アダプタによれば、極性切換部材をベース部材に対し、異なる回転位置に組み付けるだけで極性を切り換えることができる。
【００２１】
発明［３］にかかる浴槽用給湯口アダプタによれば、弁部に異物が詰まってしまうような不具合を有効に防止することができる。
【００２２】
発明［４］にかかる浴槽用給湯口アダプタによれば、極性の切換をより確実に行うことができる。
【００２３】
発明［５］にかかる浴槽用給湯口アダプタによれば、吐出口の位置を変更せずに、極性を切り換えることができる。
【００２４】
発明［６］にかかる浴槽用給湯口アダプタによれば、吐出口から吐出される水の吐出方向を不具合なく変更することができる。
【００２５】
発明［７］にかかる浴槽用給湯口アダプタによれば、吐出口から水をスムーズに吐出させることができる。
【００２６】
発明［８］にかかる浴槽用給湯口アダプタによれば、極性を簡単に切り換えることができて、前面吸込／側面吐出方式を確実に採用することができる。
【発明を実施するための最良の形態】
【００２７】
図１〜３はこの発明の実施形態である浴槽用給湯口アダプタを示す図である。これらの図に示すように、この実施形態の給湯口アダプタは、浴槽（Ｔ）の側壁（Ｗ）に設けられた取付孔（Ｈ）に組み付けられる。このアダプタは、浴槽（Ｔ）内のお湯を吸い込んで給湯機に送り、そこで再加熱して、高温のお湯を浴槽（Ｔ）に戻すようにした追い炊き処理（強制循環処理）を行えるものである。
【００２８】
なおこの給湯口アダプタは、以下に詳述するように、このアダプタが備える２つの外管接続部（１ａ）（１ｂ）に対して、給湯機につながる往き管および戻り管のどちらを接続しても使用可能な、いわゆる無極性タイプのものであり、さらにアダプタ内部に、逆流防止弁等の水の流動を制御する流動制御弁が設けられない弁無しタイプのものである。
【００２９】
本実施形態の給湯口アダプタは、槽外取付部材（１）と、槽内取付部材（２）と、流路形成ユニット（３）と、フィルター部材（９）とを基本的な構成要素として備えている。なお、以下においては、給湯口アダプタの軸心方向に沿って槽内側を「前側」とし、槽外側を「後側」として説明する。
【００３０】
槽外取付部材（１）は、前面側が開放され、かつ後面側が閉塞された円筒形状の外筒部（１２）と、その外筒部（１２）の内部に同軸心上に配置される円筒形状の内筒部（１１）と、外筒部（１２）の前端外周に設けられた平板リング状のフランジ部（１５）と、外筒部（１２）の後端閉塞壁に設けられる管状の第１及び第２外管接続部（１ａ）（１ｂ）とを一体に有する金属製品をもって構成されている。
【００３１】
内筒部（１１）の内側空間は、第１流路としての後述の内側流路（Ａ）の一部として構成されるとともに、内筒部（１１）および外筒部（１２）間の環状空間は、第２流路としての後述の外側流路（Ｂ）の一部として構成されており、上記第１外管接続部（１ａ）が内側流路（Ａ）に連通されるとともに、第２外管接続部（１ｂ）が外側流路（Ｂ）に連通されている。
【００３２】
外筒部（１２）の前部内周面には、槽内取付部材（２）を組み付けるための雌ねじが刻設されている。さらに内筒部（１１）の内周面には、合成ゴム製のＯリング（８１）が収容されている。
【００３３】
槽外取付部材（１）のフランジ部（１５）に設けられるリング状の合成ゴム製被覆パッキン（８２）は、その内周面に沿って嵌合溝が形成されており、嵌合溝内にフランジ部（１５）を収容するようにして、フランジ部（１５）の外周面ほぼ全域を被覆した状態で密着固定される。なお被覆パッキン（８２）の前面側は、厚板状に形成されて、パッキン本体として構成されている。
【００３４】
槽内取付部材（２）は、前後両端が開放された円筒形状の円筒部（２１）と、その円筒部（２１）の前端外周に設けられた平板リング状のフランジ部（２５）とを一体に有するポリアセテート樹脂等からなる鍔付き円筒形状の硬質合成樹脂成形品をもって構成されている。
【００３５】
円筒部（２１）は、上記槽外取付部材（１）の雌ねじに対応して、外周面に雄ねじが刻設されており、槽外取付部材（１）における外筒部（１２）の筒孔内に螺着できるよう構成されている。
【００３６】
フランジ部（２５）の前面側には、周方向に沿って所定の間隔おきに複数の有底のロック凹部（２６）が形成されている。
【００３７】
さらにフランジ部（２５）の外周縁部には図１２に示すように、周方向に沿って所定の間隔おきに複数の係止溝（２７）が形成されている。各係止溝（２７）は、前面側（入口側）において周方向の一端のみが開放されるとともに、後面側（奥側）において周方向の全域が開放されており、側方（外径方向）から見た状態においてＬ字形に形成されている。
【００３８】
図１〜３に示すように槽内取付部材（２）と浴槽（Ｔ）の内壁面との間に介在される弾性パッキン（８３）は、フランジ部（２５）の形状に対応するリング状の合成ゴム成形品をもって構成されている。
【００３９】
フランジ部（２５）とパッキン（８３）との間に介在される緩衝部材（８４）は、フランジ部（２５）の形状に対応する平板リング状に形成されている。この緩衝部材（８４）は、軟質性ないしは弾力性を有するポリエチレン樹脂等の軟質合成樹脂の成形品をもって構成されている。
【００４０】
そして、上記槽外取付部材（１）のフランジ部（１５）が、浴槽（Ｔ）の外壁面における取付孔（Ｈ）の周縁部に沿うように配置された状態で、槽内取付部材（２）のフランジ部（１５）が、緩衝部材（８４）およびパッキン（８３）を介して浴槽内壁面における取付孔（Ｈ）の周縁部に圧接されるようにして、槽内取付部材（２）の円筒部（２１）が取付孔（Ｈ）を通じてねじ込み固定される。これにより、両取付部材（１）（２）のフランジ部（１５）（２５）が、浴槽側壁（Ｗ）における取付孔周縁部を挟持することにより、両取付部材（１）（２）が浴槽側壁（Ｗ）に貫通状態に固定される。
【００４１】
本実施形態においては、槽外取付部材（１）および槽内取付部材（２）によって取付部材が構成されている。
【００４２】
図１〜１１に示すように、流路形成部材としての流路形成ユニット（３）は、極性切換部材（４）と、ベース部材（５）とを基本的な構成要素として備えている。
【００４３】
ベース部材（５）は、軸心方向に沿って配置される細長円筒形状の円筒軸（５３）と、その円筒軸（５３）の前部外周に形成された円形のフランジ部（５１）とを備えている。
【００４４】
円筒軸（５３）の前端は前壁によって閉塞されており、その前壁には、円筒軸（５３）の内部に連通する一対の吸込側第１開口（５５ａ）（５５ａ）が形成されている。この開口（５５ａ）（５５ａ）は、１／４円形の扇状に形成されており、互いに点対称の位置関係に配置されている。
【００４５】
さらに円筒軸（５３）の前端部、つまり円筒軸（５３）におけるフランジ部（５１）よりも前面側に突出した部分の外周壁には、円筒軸（５３）の内部に連通する吐出側第１開口（５４ａ）が形成されている。
【００４６】
またフランジ部（５１）における円筒軸（５３）の周囲には、周方向に９０°の位相差をつけて、吐出側第２開口（５４ｂ）および吸込側第２開口（５５ｂ）が形成されている。
【００４７】
これらの第２開口（５４ｂ）（５５ｂ）は、フランジ部（５１）の後面側における円筒軸（５３）の外部、つまり後述するように円筒軸（５３）および槽内取付部材（２）間の環状空間（外側流路Ｂ）に連通されている。
【００４８】
またフランジ部（５１）における第２開口（５４ａ）（５４ｂ）よりも外側には、前後に貫通する４つの係止孔（５６ｃ）が周方向に等間隔おきに、つまり９０°ずつ位相をずらせて形成されている。
【００４９】
さらにフランジ部（５１）の外周部には、前後に貫通する第１，第２の２つの径小ピン孔（５７ａ）（５７ｂ）が周方向に９０°の位相差をつけて形成されている。
【００５０】
図３に示すように、フランジ部（５１）の外周縁部には、全周にわたって後方突縁部（５８）が形成されており、その後方突縁部（５８）の内周側の３箇所に係止突起（５９）が周方向に間隔をおいて突設されている。
【００５１】
流路形成ユニット（３）の極性切換部材（４）は、槽内突出部として構成されており、円形の円板部（４１）と、その円板部（４１）の外周縁部に前方へ突出するように設けられた外周壁部（４２）とを一体に有している。
【００５２】
円板部（４１）には、中央に前後に貫通する円形の中央口（４３）が設けられるとともに、中央口（４３）を挟んだ位置に、吐出側第２開口（４４ｂ）および吸込側第２開口（４５ｂ）が形成されている。
【００５３】
また外周壁部（４２）の下部側方には、吐出口（３４）が形成されている。さらに円盤部（４１）の前面側には、吐出口（３４）から、吐出側第２開口（４４ｂ）、中央口（４３）および吸込側第２開口（４５ｂ）にかけての領域を覆うように、カバー部材（６）が設けられている。そのカバー部材（６）の内部における中央口（４３）の周辺部が円筒軸収容部（６３）として構成され、中央部から吐出口（３４）にかけての部分が吐出流路（６４）として構成され、吸込側第２開口（４５ｂ）の周辺部が吸込流路（６５）として構成されている。
【００５４】
円筒軸収容部（６３）の前カバー壁には、多数の貫通孔によって構成される一対の第１吸込口（３５ａ）が形成されている。一対の第１吸込口（３５ａ）は共に、１／４円形の扇状の領域に形成されており、互いに１８０°の位相差を有して、点対称の位置関係に配置されている。この一対の第１吸込口（３５ａ）は、上記円筒軸（５３）における一対の吸込側第１開口（５５ａ）に対応可能に構成されている。
【００５５】
さらに円筒軸収容部（６３）の両側壁部は、円弧状に形成されており、上記円筒軸（５３）を軸心回りに回転自在に収容できるようになっている。
【００５６】
吐出流路（６４）は、中央側（内周側）が上記吐出側第２開口（４４ｂ）に連通されるとともに、外周側が上記吐出口（３４）に連通されている。
【００５７】
吸込流路（６５）の前カバー壁には、多数の貫通孔によって構成される第２吸込口（３５ｂ）が形成されている。なお、吸込流路（６５）は、上記吸込側第２開口（４５ｂ）に連通されている。
【００５８】
また外周壁部（４２）の外側面には、周方向に沿って間隔をおいて複数の係止溝（３９）が形成されている。各係止溝（３９）は、前面側（入口側）において周方向の一端のみが開放されるとともに、後面側（奥側）において周方向の全域が開放されており、側方（外径方向）から見た状態においてＬ字形に形成されている。
【００５９】
円板部（４１）の上部には、上記ベース部材（５）の２つの径小ピン孔（５７ａ）（５７ｂ）のいずれにも対応可能な１つの径大ピン孔（４７）が設けられている。詳細に説明すると、円板部（４１）の前面側には、径大ピン孔部の周囲を囲うように周壁部が設けられ、この周壁部の先端（前端）から内側に折り返すようにして、複数の弾性片（４７ａ）が形成されている。そしてこの複数の弾性片（４７ａ）に囲まれた部分によって、上記径大ピン孔（４７）が形成されている。
【００６０】
また円板部（４１）の後面側には、上記ベース部材（５）のフランジ部（５１）における４つの係合孔（５６ｃ）に対応して、後方に突出する４つの係合突起（４６ｃ）が周方向に等間隔おきに、つまり９０°ずつ位相をずらせて形成されている。この係合突起（４６ｃ）は、先端が周方向に屈曲された鉤状に形成されており、各係合突起（４６ｃ）を、ベース部材（５）側の各係合孔（５６ｃ）に挿入しつつ、極性切換部材（４）の背面側をベース部材（５）の前面側に接合した状態で、極性切換部材（４）をベース部材（５）に対し周方向に少量捻回操作することにより、係合突起（４６ｃ）の先端屈曲部が、係合孔（５６ｃ）の周縁部裏面側に係合する。これにより極性切換部材（４）がベース部材（５）に対し抜止め状態に組み付けられるようになっている。またこの抜止め状態から、極性切換部材（４）をベース部材（５）に対し上記とは逆方向に捻回操作することにより、係合突起（４６ｃ）の係合孔（５６ｃ）への係合が解除される。これにより極性切換部材（４）のベース部材（５）に対する抜止めを解除できて、極性切換部材（４）をベース部材（５）から取り外すことができるようになっている。
【００６１】
本実施形態においては、極性切換部材（４）をベース部材（５）に対し捻回操作して、抜止め状態に保持した状態を、流路形成ユニット（３）を仮組した状態と称し、この仮組状態に、後述するようにロックピン（３０）を挿着して、極性切換部材（４）をベース部材（５）に対し回り止めした状態をロック状態（本組状態）と称する。
【００６２】
なお流路形成ユニット（３）を組み付ける際には必要に応じて、極性切換部材（４）における円板部（４１）の後面側外周と、ベース部材（５）におけるフランジ部（５１）の前面側外周との間に、合成ゴム製のリング状パッキンを介在して、この間の水密を図るようにしても良い。
【００６３】
ここで本実施形態において、極性切換部材（４）をベース部材（５）に組み付ける際には、流路構成の異なる第１，第２の２つの組付状態（流路状態）のいずれの状態にも組付可能に構成されて、流路形成ユニット（３）は、第１，第２流路状態間で切換可能に構成される。
【００６４】
第１組付形態（第１流路状態）は図４〜６に示すように、ベース部材（５）の吐出側第１開口（５４ａ）が、極性切換部材（４）の吐出流路（６４）に対応して配置される。これにより、円筒軸（５３）の内部、つまり後述の内側流路（Ａ）が、吐出側第１開口（５４ａ）および吐出流路（６４）を介して吐出口（３４）に連通される。さらにベース部材（５）の吸込側第２開口（５５ｂ）が、極性切換部材（４）の吸込流路（６５）に対応して配置される。これによりフランジ部（５１）の後面側における円筒軸（５３）の外側、つまり後述の外側流路（Ｂ）が、吸込側第２開口（５５ｂ）および吸込流路（６５）を介して、第２吸込口（３５ｂ）に連通される。またこの第１組付状態において、上記以外の各開口部は閉塞される。すなわちベース部材（５）の吐出側第２開口（５４ｂ）が、極性切換部材（４）の円板部（４１）に閉塞され、ベース部材（５）の吸込側第１開口（５５ａ）が、極性切換部材（４）における円筒軸収容部（６３）の前壁によって閉塞され、極性切換部材（４）の吐出側第２開口（４４ｂ）が、ベース部材（５）のフランジ部（５１）によって閉塞される。
【００６５】
このように第１組付状態では、極性切換部材（４）の外周側面における吐出口（３４）が円筒軸（５３）内部の内側流路（Ａ）に連通し、前面における第２吸込口（３５ｂ）が円筒軸外部の外側流路（Ｂ）に連通する。なお第１組付状態では、ベース部材（５）の第１径小ピン孔（５７ａ）が、極性切換部材（４）の径大ピン孔（４７）に対応して配置される。
【００６６】
また第２組付状態（流路状態）は、上記第１組付状態を基準にすると、極性切換部材（４）をベース部材（５）に対し相対的に９０°回転させた状態、換言すれば回転位置が９０°異なる状態に相当している。すなわちこの第２組付状態は図７〜９に示すように、ベース部材（５）の吐出側第２開口（５４ｂ）が、極性切換部材（４）の吐出側第２開口（４４ｂ）に対応して配置される。これにより、フランジ部（５１）の後面側における円筒軸（５３）の外部（外側流路Ｂ）が、吐出側第２開口（５４ｂ）（４４ｂ）および吐出流路（６４）を介して吐出口（３４）に連通される。さらにベース部材（５）の一対の吸込側第１開口（５５ａ）が、極性切換部材（４）の一対の吸込口（３５ａ）にそれぞれ対応して配置される。これにより、円筒軸（５３）の内部（内側流路Ａ）が、一対の吸込側第１開口（５５ａ）を介して一対の吸込口（３５ａ）に連通される。またこの第２組付状態においては、上記以外の各開口部が閉塞される。すなわちベース部材（５）の吐出側第１開口（５４ａ）が、極性切換部材（４）における円筒軸収容部（６３）の周壁部によって閉塞され、ベース部材（５）の吸込側第２開口（５５ｂ）が、極性切換部材（４）の円板部（４１）に閉塞され、極性切換部材（４）の第２吸込口（３５ｂ）が、ベース部材（５）のフランジ部（５１）によって閉塞される。
【００６７】
このように第２組付状態では、極性切換部材（４）の外周側面における吐出口（３４）が円筒軸外部の外側流路（Ｂ）に連通し、前面における第１吸込口（３５ａ）が円筒軸内部の内側流路（Ａ）に連通する。なお第２組付状態では、ベース部材（５）の第２径小ピン孔（５７ｂ）が、極性切換部材（４）の径大ピン孔（４７）に対応して配置される。
【００６８】
一方図１３〜１５に示すように、極性切換部材（４）のピン孔（４７）に挿着されるロックピン（３０）は、弾性を有する合成樹脂成形品からなる短寸のものである。ロックピン（３０）は、その先端側の１／２長さ領域部分が軸部（３０ｂ）とし、基端側の残り１／２長さ領域部分が、軸部（３０ｂ）よりも外径寸法が大きい径大頭部（３０ａ）として構成されている。径大頭部（３０ａ）の外径寸法は、極性切換部材（４）の径大ピン孔（４７）に対応する大きさに形成されるとともに、軸部（３０ｂ）の外径寸法は、径小ピン孔（５７）に対応する大きさに形成されている。
【００６９】
なおロックピン（３０）における径大頭部（３０ａ）の前端面には、摘み部（３０ｅ）が設けられており、後述するようにロックピン（３０）をロック凹部（２６）等から引き抜く際に、ピンセット等の挟み工具で摘み部（３０ｅ）を摘んで引き込むことにより、ロック解除操作を容易に行えるようにしている。
【００７０】
この構成のロックピン（３０）が、極性切換部材（４）におけるピン孔（４７）に挿入することによって組み込まれる。この組込状態においてロックピン（３０）は、その径大頭部（３０ａ）の外周面が、径大ピン孔（３７）の内周面を構成する複数の弾性片（３７ｃ）によって、周囲から弾性的に挟み込まれるように保持される。これによりロックピン（３０）は、作業者の意図的な操作による前後方向（軸心方向）の移動が許容されつつも、前後方向の自由な遊動が防止されるようになっており、所望の抜き差し位置で固定可能に構成されている。
【００７１】
従って、上記仮組状態の流路形成ユニット（３）において、ロックピン（３０）の軸部（３０ｂ）を、ベース部材（５）の径小ピン孔（５７ａ）（５７ｂ）に挿入した際には、ロックピン（３０）が径小ピン孔（５７ａ）（５７ｂ）の内周面に係合することによって、極性切換部材（４）がベース部材（５）に対し回り止めが図られる。このロック状態では、極性切換部材（４）の捻回操作が不可能となり、極性切換部材（４）のベース部材（５）への組付が意に反して解除されることができなくなる。
【００７２】
またロック状態から、ロックピン（３０）を引き込んで、軸部（３０ｂ）をベース部材（５）の径小ピン孔（５７ａ）（５７ｂ）から抜き取った際には、極性切換部材（４）のベース部材（５）に対する回転規制が解除されて、仮組状態となる。従ってこの仮組状態で、上記したように極性切換部材（４）を捻回操作することによって、ベース部材（５）との組付を解除することができる。
【００７３】
なお本発明においては、ロックピン（３０）を引き抜いた際に、ロックピン（３０）が円板部（４１）から脱落しないように、ロックピン（３０）やピン孔（４７）（５７ａ）（５７ｂ）周縁部等に脱落防止手段を設けるようにしても良い。
【００７４】
仮組状態ないしはロック状態の流路形成ユニット（３）を、浴槽壁（Ｗ）に取り付けられた上記取付部材（１）（２）に組み付けるには、流路形成ユニット（３）を吐出口（３４）が下部側方に配置されるようにして、槽内取付部材（２）に嵌入させ、円筒軸（５３）の後部を、槽内取付部材（２）内に突入している槽外取付部材（１）の内筒部（１１）に挿入する。
【００７５】
さらに流路形成ユニット（３）におけるフランジ部（５１）の後方突縁部（５８）を、槽内取付部材（２）のフランジ部（２５）の前面側から外嵌しつつ、流路形成ユニット（３）側の係止突起（４９）を、槽内取付部材（２）側の係止溝（２７）に前面側から挿入する。その後、流路形成ユニット（３）を周方向に少量捻回操作することにより、流路形成ユニット（３）側の係止突起（５９）を、係止溝（２７）の入口側から周方向にずれた奥端位置に侵入させて、流路形成ユニット（３）を槽内取付部材（２）に対して前後方向に抜け出し不能とする。
【００７６】
続いて、流路形成ユニット（３）のロックピン（３０）を強く押し込む。するとロックピン（３０）の押込移動によって、軸部（３０ｂ）が図１３（ａ）に示すように、槽内取付部材（２）における対応するいずれかのロック凹部（２６）に嵌り込む。これにより、流路形成ユニット（３）は、槽内取付部材（２）に対し捻回不能となるため、流路形成ユニット（３）の槽内取付部材（２）との組付が意に反して解除させるのを防止することができる。
【００７７】
なお槽内取付部材（２）におけるロック凹部（２６）および係止溝（２７）は、周方向に沿って複数設けられており、各ロック凹部（２６）および各係止溝（２７）に、流路形成ユニット（３）側のロックピン（３０）および係止突起（４９）を係合できるようになっている。従って流路形成ユニット（３）は、所望の回転位置で、つまり異なる複数の回転位置で取り付けることができるようになっている。
【００７８】
また流路形成ユニット（３）を取付部材（１）（２）に組み付ける場合には、流路形成ユニット（３）における円筒軸（５３）の外周面と、取付部材（１）（２）における円筒部（１１）の内周面との間に合成ゴム製のＯリング（８１）を介在させることにより、その間の水密を図るようにしている。
【００７９】
またこの組付状態では、槽外取付部材（１）の内筒部（１１）、流路形成ユニット（３）の円筒軸（５３）によって、第１流路としての内側流路（Ａ）が構成されるるとともに、槽外取付部材（１）の円筒軸（５３）および槽内取付部材（２）間の環状流路によって、第２流路としての外側流路（Ｂ）が構成される。さらに槽外取付部材（１）の第１外管接続部（１ａ）が内側流路（Ａ）に連通されるとともに、第２外管接続部（１ｂ）が外側流路（Ｂ）に連通されている。
【００８０】
また流路形成ユニット（３）が第１組付状態に組み付けられている場合には既述したように、内側流路（Ａ）が流路形成ユニット（３）の吐出口（３４）に連通され、外側流路（Ｂ）が第２吸込口（３５ｂ）に連通される。さらに流路形成ユニット（３）が第２組付状態に組み付けられている場合には、内側流路（Ａ）が第１吸込口（３５ａ）に連通されるとともに、外側流路（Ｂ）が吐出口（３４）に連通される。
【００８１】
図１〜４に示すようにフィルター部材（９）は、皿形の形状を有しており、その円形前壁部（９１）の外周部には、表裏に透過する多数の吸込孔（９５）が形成されている。また前壁部（９１）から後方へ突出する周縁部（９２）における下側部には、流路形成ユニット（３）における吐出口（３４）に対応して、吐出口（９４）が形成されている。さらに周縁部（９２）の内周側面には、流路形成ユニット（３）の上記Ｌ字形係止溝（３９）に対応して、内径方向に突出する係止突起（９８）が周方向に所定間隔おきに複数形成されている（図３参照）。
【００８２】
このフィルター部材（９）を、流路形成ユニット（３）の外周壁部（４２）を前面側から外嵌しつつ、フィルター部材（９）の係止突起（９８）を、流路形成ユニット（３）側の係止溝（３９）に前面側から挿入する。その後、フィルター部材（９）を周方向に少量捻回操作することにより、フィルター部材（９）の係止突起（９８）を、係止溝（３９）の入口側から周方向にずれた奥端位置に侵入させて、フィルター部材（９）を流路形成ユニット（３）に対して前後方向に抜け出し不能とする。
【００８３】
なおフィルター部材（９）は、清掃し易いように、使用者が簡単に取り外せる方が良いため、回転を規制するためのロック機構は特に必要としない。
【００８４】
こうしてフィルター部材（９）を取り付けた状態では、流路形成ユニット（３）の第１，第２吸込口（３５ａ）（３５ｂ）が、フィルター部材（９）の前壁部（９１）に対向して配置される。さらに流路形成ユニット（３）における吐出口（３４）が、フィルター部材（９）の吐出口（９４）に対応して配置される。
【００８５】
以上の構成の給湯口アダプタにおいて、浴槽（Ｔ）への組付手順は特に限定されるものではないが例えば、以下のようにして組み付けられる。
【００８６】
まず現場で作業を行う前に、流路形成ユニット（３）を予め組み立てておく。ここでは図４〜６に示すように流路形成ユニット（３）を第１組付状態に組み付けた場合で説明する。なお、この流路形成ユニット（３）においてはロックピン（３０）は予め挿着しておくのがよい。この場合、ロックピン（３０）を径大ピン孔（３７）のみに挿入した仮組状態にしておいても良いし、ロックピン（３０）を径大および径小ピン孔（３７）（３７ａ）の双方に挿入したロック状態（本組状態）にしておいても良い。
【００８７】
続いて浴槽（Ｔ）の外壁面における取付孔（Ｈ）に対応する位置に、槽外取付部材（１）を配置しておいて、槽内取付部材（２）の円筒部（２１）を、浴槽（Ｔ）の内側から取付孔（Ｈ）に挿通して、槽外取付部材（１）の外筒部（１２）にねじ込んで固定する。
【００８８】
次に流路形成ユニット（３）を槽内取付部材（２）内に嵌入して、捻回操作することにより、流路形成ユニット（３）を槽内取付部材（２）に抜止め状態に組み付ける。
【００８９】
続いて、流路形成ユニット（３）のロックピン（３０）を押し込んで、ロックピン（３０）を槽内取付部材（２）のロック凹部（２６）に嵌入係合させて、流路形成ユニット（３）の回り止めを図る。
【００９０】
次に、フィルター部材（９）を組み付ける前に、配管接続関係の確認作業を行う。すなわち、浴槽（Ｔ）に組み付けた槽外取付部材（１）の外管接続部（１ａ）（１ｂ）に、室外給湯機からの往き管および戻り管を適当に接続する。
【００９１】
その後実際に、室外給湯機の往き管からお湯を供給して、給湯口アダプタと外部配管との接続関係、つまり前面吸込／側面吐出状態に配管接続されているか否かを確認する。仮に室外給湯機の往き管が、給湯口アダプタの第１外管接続部（１ａ）に接続されている場合には、往き管から供給されるお湯が外管接続部（１ａ）から内側流路（Ａ）に供給される。ここで流路形成ユニット（３）は上記したように、内側流路（Ａ）が吐出口（３４）に連通され、外側流路（Ｂ）が第２吸込口（３５ｂ）に連通された第１組付状態に組み付けられているため、第１外管接続部（１ａ）を介して内側流路（Ａ）に供給されたお湯は、流路形成ユニット（３）の吐出口（３４）から吐出される。さらに室外給湯機の戻り管は、第２外管接続部（１ｂ）に接続されるため、槽内のお湯は、第２吸込口（３５ｂ）および第２外管接続部（１ｂ）を介して、室外給湯機の戻り管に吸い込まれることになる。この配管接続状態は、所望の前面吸込／側面吐出方式となっているため、正常に配管が接続されていると判断される。このように配管が正常に接続されている場合には、流路形成ユニット（３）にフィルター部材（９）を組み付けて、給湯口アダプタの組付作業を完了する。
【００９２】
また逆に、室外給湯機の往き管が、給湯口アダプタの第２外管接続部（１ｂ）に接続されている場合には、往き管から供給されるお湯が第２外管接続部（１ｂ）から外側流路（Ｂ）に供給されて、前面の第２吸込口（３５ｂ）から吐出される。さらに室外給湯機の戻り管は、外管接続部（１ａ）に接続されるため、槽内のお湯は、側面の吐出口（３４）から吸い込まれて、第１流路（Ａ）を介して戻り管に吸い込まれることになる。この配管接続状態では、前面吸込および側面吐出状態ではないため、配管接続関係が異常と判断される。
【００９３】
配管接続関係が異常の場合には、以下に説明するように流路形成ユニット（３）において流路（極性）を切り換える。すなわち流路形成ユニット（３）のロックピン（３０）を引き込んで、流路形成ユニット（３）の槽内取付部材（２）に対する回り止めと、極性切換部材（４）のベース部材（５）に対する回り止めを解除する。その後、極性切換部材（４）を組付解除方向に捻回操作してベース部材（５）から取り外す。そして図７〜９に示すように、極性切換部材を９０°回転させて再度ベース部材（５）に組み付けて、組付状態を第１組付状態から第２組付状態に変更した後、ロックピン（３０）を押し込んで、極性切換部材（４）をベース部材（５）に固定するとともに、流路形成ユニット（３）を槽内取付部材（２）に固定する。これにより流路（極性）が切り換えられて、内側流路（Ａ）が前面の第１吸込口（３５ａ）に連通されるとともに、外側流路（Ｂ）が側面の吐出口（３４）に連通される。従って、第２外管接続部（１ｂ）に接続された往き管から供給されるお湯は、外側流路（Ｂ）を介して、側面の吐出口（３４）から吐出されるようになり、前面の第１吸込口（３５ａ）から吸い込まれる槽内のお湯は、内側流路（Ａ）を介して、第１外管接続部（１ａ）に接続された戻り管へと吸い込まれる。
【００９４】
このように流路形成ユニット（３）の組付状態を変更させるだけで、所望の前面吸込／側面吐出状態に変更することができる。
【００９５】
なおロックピン（３０）のロック凹部（２６）への押込操作は、配管接続関係の確認後において、必要に応じて極性を切り換えてから行うようにしても良い。
【００９６】
また上記の極性切換作業においては、極性切換部材（４）をベース部材（５）に対し回転させるようにしているが、それだけに限られず、極性を切り換える際には、ベース部材（５）を極性切換部材（４）に対し回転させるようにしても良い。すなわち、極性切換部材（４）を回転させると、極性切換部材（４）に設けられた吐出口（３４）の位置も変更されてしまうため、吐出口（３４）の位置を変更せずに、極性を切り換えたい場合には、極性切換部材（４）の回転位置はそのままで、ベース部材（５）を回転させるようにすれば良い。この極性切換操作を行う場合には例えば、流路形成ユニット（３）を槽内取付部材（２）から取り外してから、極性切換部材（４）をベース部材（５）から取り外す。そして、上記と同様に、極性切換部材（４）に対しベース部材（５）を回転させて極性を切り換えた後、極性切換部材（４）の槽内取付部材（２）に対する回転位置は初期のままに設定して、上記と同様に、流路形成ユニット（３）を槽内取付部材（２）に嵌め込んで、ロックピン（３０）によりロックする。これにより、吐出口（３４）は初期位置例えば、下部右側の位置に配置したままの状態で極性のみを切り換えることができる。
【００９７】
一方、上記の例では、流路形成ユニット（３）を予め第１組付状態に設定しておいて、浴槽に組み付ける場合を例に挙げて説明したが、流路形成ユニット（３）を予め第２組付状態に設定しておいて、浴槽に組み付ける場合でも上記同様に組み付けることができる。すなわち第２流路形態の流路形成ユニット（３）を、浴槽に取り付けられた槽外および槽内取付部材（１）（２）に組み付けた後、上記と同様に、槽外取付部材（１）の外管接続部（１ａ）（１ｂ）に適用に室外給湯機からの往き管および戻り管を接続する。その後実際に、室外給湯機の往き管からお湯を供給して、給湯口アダプタと外部配管との接続関係を確認する。仮に室外給湯機の往き管が、給湯口アダプタの第２外管接続部（１ｂ）に接続されている場合には、第２組付状態では、往き管から第２外管接続部（１ｂ）を介して外側流路（Ｂ）にお湯が供給され、そのお湯が、吐出側第２開口（５４ｂ）（４４ｂ）および吐出流路（６４）を介して側面の吐出口（３４）から吐出される。また室外機の戻り管は外管接続部（１ａ）に接続されて、内側流路（Ａ）および吸込側第１開口（５５ａ）を介して前面の第１吸込口（３５ａ）に連通されているため、槽内の水が第１吸込口（３５ａ）から吸い込まれて、室外機へ戻される。この配管接続状態は、所望の前面吸込／側面吐出状態となっているため、極性の切換等は行わずに、フィルター部材（９）を組み付けることにより給湯口アダプタの組付作業を完了する。
【００９８】
また流路形成ユニット（３）が第２組付状態で、室外機の往き管が、第１外管接続部（１ａ）に接続されている場合には、上記とは逆に、前面の第１吸込口（３５ａ）からお湯が吐出されて、側面の吐出口（３４）からお湯が吸い込まれる。この配管接続状態は、所望の状態ではないため、上記と同様に、極性を切り換える。これにより、所望の前面吸込／側面吐出状態となる。
【００９９】
このように本実施形態の給湯口アダプタは、極性切換部材（４）やベース部材（５）の回転操作によって極性を切り換えることができるため、外部配管としての往き管や戻り管を付け替える等の面倒な作業を行うことなく、槽内からの簡単な操作によって確実に前面吸込／側面吐出状態に設定することができる。従って追い焚き時等において、浴槽内にお湯を効率良く循環させることができて、優れた給湯性能を得ることができる。
【０１００】
特に本実施形態の流路形成ユニット（３）において、ベース部材（５）に対する捻回操作によって仮組した極性切換部材（４）を、ロックピン（３０）の押込操作によってロックするようにしているため、捻回操作およびピン押込／引込操作によって簡単に、極性切換部材（４）およびベース部材（５）の組付／分解を行うことができ、極性の切換操作をより一層簡単に行うことができる。
【０１０１】
さらに本実施形態では、流路形成ユニット（３）も槽内取付部材（２）に対して、捻回操作およびピン押込操作するだけで簡単かつ確実に組み付けることができるため、給湯口アダプタ全体の組付作業をより一層簡単かつ確実に行うことができる。
【０１０２】
また本実施形態の給湯口アダプタは、内部に逆流防止弁等の流動制御弁が内蔵されない弁無しタイプのものであるため、弁部に髪の毛やゴミ等の異物が詰まって給湯をスムーズに行えない等の不具合を有効に防止でき、安定した給湯性能を長期間維持することができる。
【０１０３】
ところで、本実施形態の給湯口アダプタは、上記したように流路形成ユニット（３）を所望の回転位置で固定できるようにしているため、必要に応じて、お湯の吐出方向を不具合なく簡単に変更することができる。例えばお湯の吐出方向を下部右方向から下部左方向に変更するような場合には、まずフィルター部材（９）を流路形成ユニット（３）から取り外した後、ロックピン（３０）を引き込んで、軸部（３０ｂ）を槽内取付部材（２）のロック凹部（２６）から抜き取って、流路形成ユニット（３）の槽内取付部材（２）に対する回り止めを解除した後、流路形成ユニット（３）を捻回操作して槽内取付部材（２）から取り外す。そして流路形成ユニット（３）をその吐出口（３４）が下部左側に配置されるようにして、槽内取付部材（２）に抜止め状態に仮組みする。その後、ロックピン（３０）を押し込んで流路形成ユニット（３）をロックしてから、フィルター部材（９）を取り付ける。これにより吐出口（３４）が下部左側に配置されて、お湯の吐出方向を下部左方向に変更することができる。
【０１０４】
ここで、アダプタの外周側面における下部左側に吸込口が設けられ、かつ下部右側に吐出口が設けられた側面吸込／側面吐出方式の従来の給湯口アダプタにおいては、お湯の吐出方向を変更しようとすると不具合が生じる場合がある。すなわちお湯の吐出方向を下部右方向から下部左方向に変更するような場合、流路形成ユニットに設けられた吐出口を下部左側に移動させるように、流路形成ユニットを回転させる必要がある。この場合、変更前に下部右側に配置されていた吐出口は、変更後に下部左側に配置されるものの、変更前に下部左側に配置されていた吸込口は、変更後に上部左側に配置されてしまう。このように上部に吸込口が配置されてしまうと、浴槽内のお湯を効果的に吸い込むことができず、お湯の循環をスムーズに行えなくなってしまう。そればかりか、湯はり時にダブル搬送によって吐出口および吐出口の双方から湯を吐出させるような場合には、上部に配置された吸込口から湯が吹き上げられて飛散してしまい、お湯の供給をスムーズに行えないおそれがある。従って側面吸込／側面吐出方式の従来の給湯口アダプタにおいて、吐出方向を切り換える場合には、給湯口アダプタに対し外部配管の接続を変更するという面倒な配管付け替え作業が必要となり、お湯の吐出方向を変更することが困難であった。
【０１０５】
これに対し、本実施形態の給湯口アダプタは既述したように、配管付け替え作業等の面倒な作業を行わずに、流路形成ユニット（３）を回転させるだけの簡単な作業で自在に吐出方向を変更することができる。
【０１０６】
なお本発明の給湯口アダプタは、、湯はり処理を行う場合に、室外給湯機から２つの流路（Ａ）（Ｂ）にお湯を供給して、吐出口（３４）および吸込口（３５ａ）（３５ｂ）の双方から吐出するようにしたダブル搬送方式と、一方の流路にお湯を供給して吐出口（３４）のみからお湯を吐出するようにしたシングル搬送方式とのいずれの搬送方式も採用することができる。
【０１０７】
また本発明においては、流路形成ユニットの槽内取付部材への取付手段や、極性切換部材のベース部材への取付手段は、上記のものだけに限定されるものではなく、ビス止め等の取付手段を用いるようにしても良い。
【産業上の利用可能性】
【０１０８】
この発明の浴槽用給湯口アダプタは、室外給湯機から浴槽内にお湯を供給する際に浴槽壁部に組み付けられる温水口装置として利用可能である。
【図面の簡単な説明】
【０１０９】
【図１】この発明の実施形態である浴槽用給湯口アダプタを示す側面断面図である。
【図２】実施形態の給湯口アダプタを分解して示す斜視図である。
【図３】実施形態の給湯口アダプタを分解して示す側面断面図である。
【図４】実施形態の給湯口アダプタにおける第１組付状態の流路形成ユニットを分解して示す斜視図である。
【図５】実施形態における第１組付状態の流路形成ユニット付き槽内取付部材を示す側面断面図である。
【図６】図５の槽内取付部材を示す背面図である。
【図７】実施形態の給湯口アダプタにおける第２組付状態の流路形成ユニットを分解して示す斜視図である。
【図８】実施形態における第２組付状態の流路形成ユニット付き槽内取付部材を示す側面断面図である。
【図９】図８の槽内取付部材を示す背面図である。
【図１０】実施形態における流路形成ユニット付き槽内取付部材を示す側面図である。
【図１１】実施形態における極性切換部材を示す正面図である。
【図１２】実施形態の給湯口アダプタにおける槽内取付部材のフランジ部を拡大して示す斜視図である。
【図１３】実施形態の流路形成ユニット付き槽内取付部材におけるロックピン周辺を拡大して示す図であって、同図（ａ）はロック状態での断面図、同図（ｂ）はロック解除状態での断面図である。
【図１４】実施形態の給湯口アダプタに適用されたロックピン装着部材を示す斜視図である。
【図１５】実施形態のロックピンを示す図であって、同図（ａ）は前面図、同図（ｂ）は側面断面図である。
【符号の説明】
【０１１０】
１…槽外取付部材（取付部材）
２…槽内取付部材（取付部材）
３…流路形成ユニット（流路形成部材）
３４…吐出口
３５ａ…第１吸込口
３５ｂ…第２吸込口
４…極性切換部材（槽内突出部）
４１…円板部
４２…外周壁部
５…ベース部材
５４ａ…吐出側第１開口
５４ｂ…吐出側第２開口
５５ａ…吸込側第１開口
５５ｂ…吸込側第２開口
６４…吐出流路
Ａ…内側流路（第１流路）
Ｂ…外側流路（第２流路）
Ｈ…取付孔
Ｔ…浴槽
Ｗ…浴槽壁
【図１】
0005222025.tif 000002
【図２】
0005222025.tif 000003
【図３】
0005222025.tif 000004
【図４】
0005222025.tif 000005
【図５】
0005222025.tif 000006
【図６】
0005222025.tif 000007
【図７】
0005222025.tif 000008
【図８】
0005222025.tif 000009
【図９】
0005222025.tif 000010
【図１０】
0005222025.tif 000011
【図１１】
0005222025.tif 000012
【図１２】
0005222025.tif 000013
【図１３】
0005222025.tif 000014
【図１４】
0005222025.tif 000015
【図１５】
0005222025.tif 000016